(57)【要約】【課題】表示パネルを支持する表示パネル支持具であって、表示パネルを安定的に支持可能であって且つ風圧よる転送のリスクも低減された表示パネル支持具を提供することを課題とする。【解決手段】方形状の支持枠と、支持枠内に配置され且つ表示パネルを支持する支持部とを備え、支持枠は、間隔を空けて並列された一対の枠材と、一対の枠材を連結して固定する複数の連結材とを有し、複数の連結材は、枠材の全長方向に間隔を空けて並列され、支持部は、一対の前記枠材又は隣合う一対の前記連結材にそれぞれ凹設され且つ開口部が向かい合う差込溝を有し、表示パネルは、その両縁側が一対の前記差込溝にそれぞれ差込まれて支持され、支持部は枠材の全長方向に並べて複数配置され、支持枠における隣接する支持部同士の間には貫通孔が形成される。【選択図】図１
2020064219.tif 000002
【特許請求の範囲】
【請求項１】
表示パネルを支持する表示パネル支持具であって、
方形状の支持枠と、
前記支持枠内に配置され且つ前記表示パネルを支持する支持部とを備え、
前記支持枠は、間隔を空けて並列された一対の枠材と、一対の前記枠材を連結して固定する複数の連結材とを有し、
複数の前記連結材は、前記枠材の全長方向に間隔を空けて並列され、
前記支持部は、一対の前記枠材又は隣合う一対の前記連結材にそれぞれ凹設され且つ開口部が向かい合う差込溝を有し、
前記表示パネルは、その両縁側が、前記支持部の一対の前記差込溝にそれぞれ差込まれて支持され、
前記支持部は前記枠材の全長方向に並べて複数配置され、
前記支持枠における隣接する前記支持部同士の間には貫通孔が形成された
ことを特徴とする表示パネル支持具。
【請求項２】
少なくとも１つの前記連結材は、前記枠材の全長方向にスライド可能に支持された可動連結材であり、
前記可動連結材のスライドによって前記貫通孔の位置又は大きさを変更可能な構造を有する
請求項１に記載の表示パネル支持具。
【請求項３】
前記可動連結材は、前記枠材を前後に挟持する一対の挟持プレートと、一対の前記挟持プレートによる前記枠材への挟持固定及び固定解除を行う固定機構とを有する
請求項２に記載の表示パネル支持具。
【請求項４】
前記挟持プレートは、弾性的に変形可能な金属材料によって構成され、
前記固定機構は、一対の前記挟持プレートの間に介在されたスペーサと、一対の前記挟持プレートの間に架設されるネジとを有し、前記ネジの軸回り回転によって一対の前記挟持プレートが離間・近接方向に弾性的に変形することにより、前記挟持固定及び前記挟持解除を行うように構成された
請求項３に記載の表示パネル支持具。
【請求項５】
両端側に配置された一対の連結材は、前記枠材に移動不可能に固定された固定連結材であり、
前記可動連結材は、一対の前記固定連結材の間に配置された
請求項２乃至４の何れかに記載の表示パネル支持具。
【請求項６】
前記支持部は３つ以上設けられ、
前記貫通孔が前記枠材の全長方向に並べられて複数設けられた
請求項１乃至５の何れかに記載の表示パネル支持具。
【請求項７】
前記枠材は、直線状に形成された枠材本体と、該枠材本体の全長方向に沿う軸を支点として回動可能に該枠材本体に支持された開閉カバーとを有し、
前記開閉カバーは、前記回動によって、前記枠材本体の周囲の一部を覆って前記差込溝を形成する閉姿勢と、該覆っている部分を開放され且つ該開放側からの表示パネルの抜き差しを可能とする開姿勢との切換を可能に構成され、
単一の前記開閉カバーを、前記枠材における少なくとも両端側の連結材の間の範囲に配置形成した
請求項１乃至６の何れかに記載の表示パネル支持具。
【請求項８】
前記枠材が、上下方向に向けられて最下端側に位置する連結材からさらに下方に突出して支柱として機能するように構成されるか、或いは
前記連結材が、上下方向に向けられて下側に位置する枠材からさらに下方に突出して支柱として機能するように構成された
請求項１乃至７の何れかに記載の表示パネル支持具。
【請求項９】
隣接する前記連結材の間には、一対の前記枠材の間に架設固定された補強フレームが配置された
請求項１乃至８の何れかに記載の表示パネル支持具。
【発明の詳細な説明】
【技術分野】
【０００１】
本発明は、表示パネルを支持する表示パネル支持具に関する。
【背景技術】
【０００２】
方形状の支持枠と、前記支持枠内に配置され且つ前記表示パネルを支持する支持部とを備え、前記支持枠は、間隔を空けて並列された一対の枠材と、一対の前記枠材を連結して固定する一対の連結材とを有し、前記支持部は、一対の前記連結材にそれぞれ凹設され且つ開口部が向かい合う差込溝を有し、前記表示パネルは、その両縁側が、前記支持部の一対の前記差込溝にそれぞれ差込まれて支持される特許文献１に示す表示パネル支持具が公知になっている。
【０００３】
上記文献の表示パネル支持具は、表示パネルが一対の差込溝によって支持枠に一体的に支持されるため、安定性が増す一方で、悪天候時の風圧の影響を受けて転倒し易くなる場合がある。
【先行技術文献】
【特許文献】
【０００４】
【特許文献１】実用新案登録第３２１３９２１号公報
【発明の概要】
【発明が解決しようとする課題】
【０００５】
本発明は、表示パネルを支持する表示パネル支持具であって、表示パネルを安定的に支持可能であって且つ風圧よる転倒のリスクも低減された表示パネル支持具を提供することを課題とする。
【課題を解決するための手段】
【０００６】
上記課題を解決するため、表示パネルを支持する表示パネル支持具であって、方形状の支持枠と、前記支持枠内に配置され且つ前記表示パネルを支持する支持部とを備え、前記支持枠は、間隔を空けて並列された一対の枠材と、一対の前記枠材を連結して固定する複数の連結材とを有し、複数の前記連結材は、前記枠材の全長方向に間隔を空けて並列され、前記支持部は、一対の前記枠材又は隣合う一対の前記連結材にそれぞれ凹設され且つ開口部が向かい合う差込溝を有し、前記表示パネルは、その両縁側が、前記支持部の一対の前記差込溝にそれぞれ差込まれて支持され、前記支持部は前記枠材の全長方向に並べて複数配置され、前記支持枠における隣接する前記支持部同士の間には貫通孔が形成されたことを特徴とする。
【０００７】
少なくとも１つの前記連結材は、前記枠材の全長方向にスライド可能に支持された可動連結材であり、前記可動連結材のスライドによって前記貫通孔の位置又は大きさを変更可能な構造を有するものとしてもよい。
【０００８】
前記可動連結材は、前記枠材を前後に挟持する一対の挟持プレートと、一対の前記挟持プレートによる前記枠材への挟持固定及び固定解除を行う固定機構とを有するものとしてもよい。
【０００９】
前記挟持プレートは、弾性的に変形可能な金属材料によって構成され、前記固定機構は、一対の前記挟持プレートの間に介在されたスペーサと、一対の前記挟持プレートの間に架設されるネジとを有し、前記ネジの軸回り回転によって一対の前記挟持プレートが離間・近接方向に弾性的に変形することにより、前記挟持固定及び前記挟持解除を行うように構成されたものとしてもよい。
【００１０】
両端側に配置された一対の連結材は、前記枠材に移動不可能に固定された固定連結材であり、前記可動連結材は、一対の前記固定連結材の間に配置されたものとしてもよい。
【００１１】
前記支持部は３つ以上設けられ、前記貫通孔が前記枠材の全長方向に並べられて複数設けられたものとしてもよい。
【００１２】
前記枠材は、直線状に形成された枠材本体と、該枠材本体の全長方向に沿う軸を支点として回動可能に該枠材本体に支持された開閉カバーとを有し、前記開閉カバーは、前記回動によって、前記枠材本体の周囲の一部を覆って前記差込溝を形成する閉姿勢と、該覆っている部分を開放され且つ該開放側からの表示パネルの抜き差しを可能とする開姿勢との切換を可能に構成され、単一の前記開閉カバーを、前記枠材における少なくとも両端側の連結材の間の範囲に配置形成したものとしてもよい。
【００１３】
前記枠材が、上下方向に向けられて最下端側に位置する連結材からさらに下方に突出して支柱として機能するように構成されるか、或いは前記連結材が、上下方向に向けられて下側に位置する枠材からさらに下方に突出して支柱として機能するように構成されたものとしてもよい。
【００１４】
隣接する前記連結材の間には、一対の前記枠材の間に架設固定された補強フレームが配置されたものとしてもよい。
【発明の効果】
【００１５】
表示パネルを一対の差込溝によって安定的に支持可能であるとともに、支持枠に形成された貫通孔によって、風圧よる転送のリスクも低減される。その他、貫通孔が、支持枠の後方の視界を良好に保持することに寄与する。さらに、貫通孔に手を通せば、持ち運びが容易になる。
【図面の簡単な説明】
【００１６】
【図１】本発明を適用した表示パネル支持具の正面図である。
【図２】本発明を適用した表示パネル支持具の側面図である。
【図３】展開状態のラックの底面図である。
【図４】枠材及びスタンドの構成を示す平断面図である。
【図５】連結材の構成を示す側断面図である。
【図６】連結材の構成を示す平断面図である。
【図７】他例に係るスタンド及びラックの構成を示す側面図である。
【図８】（Ａ），（Ｂ）はラックの他例の構成を示す平面図及び側断面図である。
【図９】表示パネル支持具の別実施形態の構成を示す正面図である。
【図１０】表示パネル支持具の別実施形態の構成を示す正面図である。
【発明を実施するための形態】
【００１７】
図１，図２は本発明を適用した表示パネル支持具の正面図及び側面図である。表示パネル支持具は、金属製（具体的にはアルミ製）の支持枠１と、支持枠１内に配置され且つ表示パネルＰを支持する支持部２と、支持枠１を自立させる金属製（具体的にはアルミ製）のスタント３とを備えている。支持枠１のサイズは、例えば、縦が１１００ｍｍで横が５５０ｍｍなどに設定される。
【００１８】
上記支持枠１は、上下方向に直線状に延びる一対の枠材４，４と、一対の枠材４，４を連結して固定するように該枠材３と交差（図示する例では直交）する方向である左右方向に直線状に延びる複数の連結材６とを有し、全体として方形状に成形されている。一対の枠材４，４は、間隔を空けて平行に並べて配置されている。複数の連結材６は、互いに平行な状態で、枠材４の全長方向に間隔を空けて並列されている。
【００１９】
上記支持部２は、隣接する連結材６，６の間に配置形成されている。この支持部２は、支持枠１内に、枠材４の全長方向に並列された状態で、複数形成されている。支持枠１における隣接する支持部２の間には、前後に貫通する貫通孔７が開口形成されている。言換えると、この貫通孔７は、隣接する連結材６，６の間に配置形成されている。
【００２０】
一対の枠材４，４の間において、支持部２に支持された表示パネルＰの背面側には、支持枠１の強度を補強する補強フレーム８が架設固定されている。
【００２１】
各枠材４は、最下端側に位置する連結材６よりもさ１に下方に延出されて支柱としても機能している。一対の枠材４，４の最下端側の連結材６からの延出量は、同一又は略同一に設定されている。この一対の支柱４，４の下端側には、この表示パネル支持具を設置する設置面に当接する当接部９が設けられている。当接部９の下端面は、側面視で前後中央部が下方に円弧状に膨出した形状に成形され且つ弾性変形可能な合成樹脂製の材料によって構成されている。
【００２２】
上記スタンド３は、左右の枠材４，４にそれぞれ前後揺動可能に支持された断面視方形状の角パイプである縦フレーム１１，１１と、左右の縦フレーム１１，１１が側面視で同一の前後揺動姿勢となるように両者の下部同士を連結して固定する左右方向の断面視方形状の角パイプ状の横フレーム１２とを備えている。
【００２３】
左右の縦フレーム１１，１１は、互いに同一の断面形状及び全長を有している。各縦フレーム１１は、その上端部がブラケット１３によって、対応する各枠材４にそれぞれ支持されている。そして、このスタンド３は、縦フレーム１１の上端側を支点とした前後揺動によって、側面視で支持枠１に沿って（具体的には、支持枠１と平行に）格納された格納姿勢と、支持枠１から離間するように後方に揺動されて支持枠１を自立させる自立姿勢とに切換可能に構成されている。
【００２４】
このスタンド３と支持枠１との間には、折畳み可能なラック１４が設けられている。
【００２５】
図３は展開状態のラックの底面図である。図２及び図３に示す通り、ラック１４は、前フレーム１６と、後フレーム１７とを有している。
【００２６】
前フレーム１６は、支持部材１８を介して最下端側の連結材６の上面側に上下揺動可能に支持された左右一対のアーム部材１９，１９と、左右のアーム部材１９，１９を側面視で同一の揺動姿勢とするように両者の間に架設固定された複数の架設部材２１とを有している。アーム部材１９は、左右内側及び下方に延びるＬ字状の断面を有するアングル状に成形され、その前端部が支持部材１８に支持されている。複数の架設部材２１は、互いに間隔を空けてアーム部材１９の全長方向に並べて配置されている。各架設部材２１は側断面視方形状の角パイプ状に成形されている。
【００２７】
後フレーム１７は、支持部材２２を介して前記横フレーム１２の上面側に上下揺動可能に支持された左右一対のアーム部材２３，２３と、左右のアーム部材２３，２３を側面視で同一の揺動姿勢とするように両者の間に架設固定された複数の架設部材２４とを有している。アーム部材２３は、左右内側及び下方に延びるＬ字状の断面を有するアングル状に成形され、その後端部が支持部材２２に支持されている。複数の架設部材２４は、互いに間隔を空けてアーム部材２３の全長方向に並べて配置されている。各架設部材２４は側断面視方形状の角パイプ状に成形されている。
【００２８】
前フレーム１６と後フレーム１７とは、前後回動自在に連結されている。具体的には、ラック１４の左右一方のアーム部材１９，２３同士と、他方のアーム部材１９、２３同士とを、それぞれ前後回動自在に連結している。すなわち、このラック１４は、その前端側と中途側と後端側とに、前後揺動又は回動の支点Ｘ１，Ｘ２，Ｘ３をそれぞれ有している。
【００２９】
そして、スタンド３の格納姿勢への切換時、ラック１４は、側面視で、前フレーム１６及び後フレーム１７が支点Ｘ２を頂点として二つ折りされて畳まれた折畳状態になる。一方、スタンド３の自立姿勢への切換時、ラック１４は、側面視で、前フレーム１６及び後フレーム１７が一直線状に展開された展開状態になる。
【００３０】
展開状態のラック１４の上面側に錘等の荷物を載置して、表示パネル支持具が風等に起因して転倒することを防止する。
【００３１】
ちなみに、スタンド３の縦フレーム１２の下端側には、弾性変形可能な合成樹脂製の材料によって構成された当接部２６が設けられている。この当接部２６は、スタンド３の格納姿勢への切換時、当接部９と同一又は略同一の高さで、前後に隣接した状態になる。当接部２６の下端面は、側面視で前後中央部が下方に円弧状に膨出した形状に成形されている。
【００３２】
次に、図１、図４乃至図６に基づき、支持部２の構成について詳述する。
【００３３】
図４は枠材及びスタンドの構成を示す平断面図である。各枠材４は、該枠材４の全長方向に直線状に延びる断面視方形状の角パイプである枠材本体２７と、該枠材本体２７の周囲の一部をカバーするカバー２８，２９とを有している。左右の枠材４，４の一方はカバー２８が枠材本体２７に固定的に支持された閉塞側枠材４Ａになるとともに、他方はカバー２９が枠材本体２７に左右揺動可能に支持された開閉側枠材４Ｂになる。
【００３４】
閉塞側枠材４Ａのカバー２８である固定カバーは、枠材本体２７の全長に亘り形成されている。この固定カバー２８は、正面視で支持枠２の枠外に向かう方向であって且つ枠材４の全体方向に垂直な方向（以下、「外側方向」と称し、図示する例では外側側方）に膨出した外側膨出部２８ａと、平断面視で前方に膨出した前側膨出部２８ｂと、外側膨出部２８ａの後端側に一体成形された後側当接部２８ｃと、外側膨出部２８ａと前側膨出部２８ｂとを一体で連接する部分の内面側に一体成形された前側当接部２８ｄとを一体で有し、枠材本体２７の周囲の一部である前面と、外側方向の面とをカバーしている。
【００３５】
後側当接部２８ｃは、枠材本体２７における前記外側方向の面及び背面の両面に当接して該両面によって形成されるコーナー側に位置決めされるように、平断面視でＬ字状に成形されている。前側当接部２８ｄは、枠材本体２７における前記外側方向の面及び正面の両面に当接して該両面によって形成されるコーナー側に位置決めされるように、平断面視でＬ字状に成形されている。
【００３６】
外側膨出部２８ａは、平断面視で、前記外側方向と反対方向に開放されたＵ字状に形成され且つ膨出側の端面が、枠材本体２７の外側方向の面と平行なフラット形状に形成されている。外側膨出部２８ａがリベット等に固定具３１によって枠材本体２７に固定されることにより、前記固定カバー２８が該枠材本体２７に固定的に支持される。ちなみに、固定具３１は、枠材本体２７の全長方向に並列されて複数設けられている。この他、外側膨出部２８ａの前後にそれぞれ形成されたＲ状の外面には、全長方向に延びる多数の図示しない溝が形成されている。
【００３７】
前側膨出部２８ｂは、枠材４に垂直な平面で切断した断面視で、後方が開放されたＵ字状に成形され且つ膨出側の端面が枠材本体２７の正面と平行なフラット形状に形成されている。この前側膨出部２８ｂと、枠材本体２７の正面との間には、前記表示パネルＰの縁側を挿脱自在に差込み可能なように、前記外側方向と反対方向（以下、「内側方向」と称し、図示する例では左右内側方向）が開放された差込溝４ａが形成（凹設）されている。この他、前側膨出部２８ｂの幅方向両側にそれぞれ形成されたＲ状の外面にも、全長方向に延びる多数の図示しない溝が形成されている。
【００３８】
開閉側枠材４Ｂのカバー２９である開閉カバーは、枠本体２７の全長に亘り形成されている。開閉カバー２９は、枠材４の全長方向の沿う方向（具体的には平行な方向）を向いた回動軸（軸）Ｓを回動支点として有するヒンジ３２によって、枠材本体２７に回動可能に支持されている。言換えると、開閉カバー２９は回転軸Ｓを支点として回動される。
【００３９】
詳細を説明すると、ヒンジ３２が、回転軸Ｓの軸方向視で該回転軸Ｓから異なる２方向に一直線状に延びて且つ互いに該回転軸Ｓを支点として回動するプレート状の２片を有し、この２片の一方がリベット等の固定具３３によって枠材本体２７の背面側に固定され、他方が前記固定具３３によって開閉カバー２９に固定される。ちなみに、この回動軸Ｓは、枠材本体２７の背面及び前記外側方向の面により形成されるコーナー側に位置した状態になる。
【００４０】
開閉カバー２９は、枠体本体２７の正面側及び前記外側方向の面側をカバーする閉姿勢（図４において仮想線で示す姿勢）への切換時、平断面視で前記外側方向に膨出した外側膨出部２９ａと、平断面視で前方に膨出した前側膨出部２９ｂと、外側膨出部２９ａの後端側に一体成形された後側当接部２９ｃと、外側膨出部２９ａと前側膨出部２９ｂとを一体で連接する部分の内面側に一体成形された前側当接部２９ｄとを一体で有し、枠材本体２７の周囲の一部である前面と、外側方向の面とをカバーしている。ちなみにヒンジ３２は、トーションバネ等の弾性部材３６によって、開閉カバー２９を閉姿勢に切換える側に弾性的に付勢されている。
【００４１】
後側当接部２９ｃは、開閉カバー２９の閉姿勢への切換時、枠材本体２７の前記外側方向の面における後方寄り部分に当接するように凸状に成形されている。前側当接部２９ｄは、開閉カバー２９の閉姿勢への切換時、枠材本体２７の前記外側方向の面及び正面の両面に当接して該両面によって形成されるコーナー側に位置決めされるように、平断面視でＬ字状に成形されている。これらの前後の当接によって、開閉カバー２９が閉姿勢で係止される。
【００４２】
外側膨出部２９ａは、開閉カバー２９の閉姿勢への切換時において前記回動軸Ｓ側から前方に向かって前記外側方向に傾斜したプレート状部分と、開閉カバー２９の閉姿勢への切換時において前記プレート状部分から前記内側方向に湾曲する円弧状部分とを有している。ちなみに、この円弧状部分の外面には、全長方向に延びる多数の図示しない溝が形成されている。
【００４３】
開閉カバー２９の閉姿勢への切換時における前側膨出部２９ｂは、枠材４の全長方向に垂直な面で切断した断面視で、後方が開放されたＵ字状に成形され、且つ膨出した端面が枠材本体２７の正面と平行なフラット形状に成形されている。開閉カバー２９の閉姿勢への切換時、前側膨出部２９ｂと枠材本体２７の正面との間には、前記表示パネルＰの縁側を挿脱自在に差込み可能なように、前記内側方向が開放された差込溝４ｂが形成（凹設）される。この他、前側膨出部２９ｂの幅方向両側にそれぞれ形成されたＲ状の外面には、全長方向に延びる多数の図示しない溝が形成されている。
【００４４】
開閉カバー２９を、弾性部材３６の付勢力に抗して枠材本体２７の前記外側方向に回動させることにより、開姿勢への切換を行う。
【００４５】
以上の構成によって、前記支持部２は、２つの前記差込溝４ａ，４ｂを有することになる。２つの差込溝４ａ，４ｂは、開口部が互いに向かい合っている。これらの差込溝４ａ，４ｂに、方形状の表示パネルＰの左右の両縁側をそれぞれ差込んで位置決め支持させる。
【００４６】
表示パネルＰは、所定以上の剛性を有する方形状のベース板Ｐ１と、ベース板Ｐ１の正面に重ねられる紙製又は合成樹脂製等のフレキシブルに変更可能な表示シートＰ２とから構成される。表示シートＰ２の正面には、必要な文字や記等の情報が印刷等によって表示されている。また、表示シートＰ２としては、少なくとも正面側に反射率の高い材料が用いられている。なお、表示パネルＰを、ベース板Ｐ１自体から構成し且つ該ベース板Ｐ１の正面に必要な情報を印刷等により表示してもよい。
【００４７】
ちなみに、スタンド３を格納させた状態の表示パネル支持具同士を、起立させて前後に重ねるか、或いは、倒伏させて上下に重ねる場合、一の表示パネル支持具の枠材４の正面（具体的には、前側膨出部２８ｂ，２９ｂの正面のフラットな部分）と、他の表示パネル支持具の該スタンド３の縦フレーム１１の背面とが面状に当接した状態になる。円滑に該当接に移行させるため、前側膨出部２８ｂ，２９ｂの正面における幅方向両側のコーナーのＲ状の形成と、縦フレーム１１の背面における幅方向両側のコーナーのＲ状の形成とが有用に作用する。
【００４８】
また、これらのＲ状の形状は、歩行者等が衝突しても、怪我をする虞が低減し、この点でも有用に作用する。
【００４９】
図５，図６は連結材の構成を示す側断面図及び平断面図である。図１、図５及び図６に示す通り、連結材６として、枠材４の全長方向の両端側に位置し且つ該枠材４に固定された一対の固定連結材６Ａと、一対の固定連結材６Ａ，６Ａの間に配置され且つ枠材４の全長方向に位置調整可能な複数の可動連結材６Ｂとが設けられている。図示する例では、最も上側に位置する連結材６及び最も下側に位置する連結材６が固定連結材６Ａになり、それ以外の連結材６が可動連結材６Ｂになる。
【００５０】
上述した通り、支持部２が隣接する一対の連結材６，６の間に設けられる。図示する例では、上から１番目の連結材６である固定連結材６Ａと、上から２番目の連結材６である可動連結材６Ｂとの間に支持部２が設けられ、上から３番目の連結材６である可動連結材６Ｂと、上から４番目の連結材６である可動連結材６Ｂとの間に支持部２が設けられ、上から５番目の連結材６である可動連結材６Ｂと、上から６番目の連結材６である固定連結材６Ａとの間に支持部２が設けられている。
【００５１】
これを言換えると、一の支持部２を構成する２つの連結材６，６は、他の支持部２を構成することはないため、これら２つの連結材６，６同士の互いに対向する側が、表示パネルＰを支持する支持側となり、その反対側が非支持側になる。そして、非支持側の面同士が対向するように隣接する連結材６，６同士の間に、前記貫通孔７が開口形成される。
【００５２】
固定連結材６Ａは、該固定連結材６Ａの全長方向に直線状に延びる断面視方形状の角パイプである連結材本体３７と、該連結材本体３７の周囲の一部をカバーするカバー３８とを有している。具体的には、連結材本体３７の周囲における非支持側の面である非支持面３７ａと、正面とが単一のカバー３８によって覆われている。
【００５３】
カバー３８は、連結材本体３７の全長方向の全体に亘り形成されている。このカバー３８は、連結材６の全長方向に垂直な面で切断した断面視で、非支持面３７ａから非支持側に膨出した非支持側膨出部３８ａと、前方に膨出した前側膨出部３８ｂと、非支持側膨出部３８ａの後端側に一体成形された後側当接部３８ｃと、非支持側膨出部３８ａと前側膨出部３８ｂとを一体で連接する部分の内面側に一体成形された前側当接部３８ｄとを一体で有している。
【００５４】
後側当接部３８ｃは、連結材本体３７の非支持面３７ａ及び背面の両面に当接して該両面によって形成されるコーナー側に位置決めされるように、連結材６の全長方向に垂直な面で切断した断面視で、Ｌ字状に成形されている。前側当接部３８ｄは、連結材本体３７の非支持面３７ａ及び正面の両面に当接して該両面によって形成されるコーナー側に位置決めされるように、連結材６の全長方向に垂直な面で切断した断面視で、Ｌ字状に成形されている。
【００５５】
非支持側膨出部３８ａは、連結材６の全長方向に垂直な面で切断した断面視で、前記支持側が開放されたＵ字状に形成され且つ膨出した端面が該非支持面３７ａと平行に対向するようにフラットな形状に形成されている。非支持側膨出部３８ａがリベット等に固定具３９によって連結材本体３７に固定されることにより、前記カバー３８が該連結材本体３７に固定的に支持される。ちなみに、固定具３９は、連結材本体３７の全長方向に並列されて複数設けられている。この他、非支持側膨出部３８ａの前後にそれぞれ形成されたＲ状の外面には、全長方向に延びる多数の図示しない溝が形成されている。
【００５６】
前側膨出部３８ｂは、側断面視で、後方が開放されたＵ字状に成形され且つ膨出した端面が連結材本体３７の正面と平行なフラット形状に成形されている。この前側膨出部３８ｂと、連結材本体３７の正面との間には、前記表示パネルＰの縁側を挿脱自在に差込み可能なように、前記支持側が開放された差込溝６ａが形成（凹設）されている。この他、前側膨出部３８ｂの幅方向両側にそれぞれ形成されたＲ状の外面にも、全長方向に延びる多数の図示しない溝が形成されている。
【００５７】
可動連結材６Ｂは、前後一対の挟持プレート４１，４２と、この一対の挟持プレート４１，４２の間に介在され且つこれらの挟持プレート４１，４２の間の前後間隔を保持するスペーサ４３と、２つの溝成形部材４４，４６とを有している。
【００５８】
挟持プレート４１，４２は、連結材６の全長方向に形成され、正面視で互いが完全にラップするように平行に並べられ、その全長が一対の枠材４，４の間の距離よりも長く設定されている。スペーサ４３は、連結材６の全長方向に形成され且つ断面視で方形状に成形された角パイプであり、その全長は、一対の枠材４，４の間の間隔よりも短く設定されている。このスペーサ４３の前後の面にはリベット等の固定具４７によって一対の挟持プレート４１，４２がそれぞれ固定されてる。このスペーサ４３によって、一対の挟持プレート４１，４２の全長方向の中央側の前後間隔は、枠材本体２７の前後幅と同一又は略同一となる。
【００５９】
２つの溝成形部材４４，４６は、それぞれ連結材６の全長方向に延びるアングル状に成形され、各溝形状部材４４，４６の全長は一対の枠材４，４の間の間隔よりも若干短いか、或いは該間隔と同程度に設定されている。
【００６０】
一の溝成形部材４４は、そのＬ字状の断面の一方がスペーサ４３の前記支持側の面に固定された被取付部４４ａになり、他方がスペーサ４３における支持側の面の前端側から、該支持側に向かって延出された溝側壁部４４ｂになる。他の溝成形部材４６は、そのＬ字状の断面の一方がスペーサ４３の前記非支持側の面に固定された被取付部４６ａになり、他方が被取付部４６ａの前端部から前記支持側に延出され且つ前側の挟持プレート４１のさらに前方に位置する溝側壁部４６ｂになる。
【００６１】
２つの溝側壁部４４ｂ，４６ａの間に、前記支持側が開放された差込溝６ｂが形成（凹設）されている。ちなみに、この２つの溝成形部材４４，４６はリベット等の固定具４７によってスペーサ４３に固定される。
【００６２】
一対の挟持プレート４１，４２と、スペーサ４３と、２つの溝成形部材４４，４６とは、全方向の中央の位置を一致させて互いに固定されている。このため、溝成形部材４４，４６の全長方向の両端部は、それぞれスペーサ４３の全長方向の両端から前記外側方向に突出し、挟持プレート４１，４２の全長方向の両端部は、それぞれ溝成形部材４４，４６の全長方向の両端から前記外側方向に突出している。
【００６３】
一対の挟持プレート４１，４２の全長方向におけるスペーサ４３が介在されていない端寄り位置であって且つ枠材本体２７よりも前記内側方向の位置には、前後方向のボルト４８が配置されている。ボルト４８は、蝶ボルト又はうちわボルトであって、挟持プレート４１，４２の両側の端寄り位置にそれぞれ設けられている。
【００６４】
各ボルト４８のヘッド４８ａが後方の挟持プレート４２の背面側に位置し、そのネジ部（ネジ）４８ｂが、後方の挟持プレート４２に穿設された挿通孔４２ａに挿通され、該ネジ部４８ｂの先端部が前方の挟持プレート４１の背面から後方に一体で突出形成された筒状部４１ａの内面側にネジ形状されて挿入される。
【００６５】
このようにして、一対の挟持プレート４１，４２の間に架設されたネジ部４８ｂの軸回り回転させることにより、挟持プレート４１，４２の端寄り部分同士を互いに離間・近接方向に弾性的に変形させる。そして、この一対の挟持プレート４１，４２の端部同士の間に、枠材本体２７を位置させた状態で、ネジ部４８ｂによる離間・近接方向への弾性的な変形によって、連結材６の枠材４への挟持固定・挟持解除を行う。すなわち、一対の挟持プレート４１，４２と、スペーサ４３と、一対の前記挟持プレートの間に架設されるボルト４８（ネジ部４８ｂ）とによって、連結材６の枠材４への挟持固定・挟持解除を行う固定機構が構成される。
【００６６】
該構成の連結材６は、その全長方向の両端側で、それぞれ枠材４，４への挟持解除を行うことにより、該枠材４の全長方向のスライド移動可能になる一方で、その全長方向の両端側で、それぞれ枠材４，４への挟持固定することにより、該枠材４への架設固定を行う。
【００６７】
以上の構成によって、前記支持部２は、２つの前記差込溝６ａ，６ｂを有することになる。２つの差込溝６ａ，６ｂは、開口部が互いに向かい合っている。これらの差込溝６ａ，６ｂに、方形状の表示パネルＰの上下の両縁側をそれぞれ差込んで位置決め支持させる。
【００６８】
以上のように構成される複数の各支持部２は、単一の開閉カバー２９を開姿勢に切換えることにより、表示パネルＰの挿入を可能とする。具体的には、表示パネルＰを、その上下の両縁側が一対の差込溝６ａ，６ｂに差込まれるようにして、連結材６の全長方向にスライドさせることにより、支持部２への挿入を行う。
【００６９】
そして、表示パネルＰの左右一方の縁側が差込溝４ａに差込まれる位置まで、該表示パネルＰを支持部２に挿入した段階で、開閉カバー２９の閉姿勢への切換を行うことにより、差込溝４ｂが形成され、この差込溝４ｂにも、表示パネルＰの左右他方の縁側が差込まれた状態になる。この状態では、方形状の表示パネルＰの四辺が差込溝４ａ，４ｂ，６ａ，６ｂに差込まれ、該表示パネルＰが支持部２に位置決め固定状態で支持された状態になる。
【００７０】
一方、表示パネルＰが支持された状態の複数の各支持部２は、単一の開閉カバー２９を開姿勢に切換えることにより、該支持部２からの表示パネルＰの抜き取りが可能になる。具体的には、開閉カバー２９を開姿勢への切換によって、差込溝４ｂが開放され、該開放側からの表示パネルＰの抜き取りが可能な状態になる。
【００７１】
以上のように構成された表示パネル支持具によれば、枠材４の全長方向で隣接する支持部２，２の間に開口形成された貫通孔７が、風圧の低減や、支持枠１の後方の視界確保に寄与する。また、大きなサイズの支持枠１を有する表示パネル支持具を把持して搬送する場合にも、貫通孔７の中に手を通すことにより、運び易くなる。
【００７２】
また、枠材４の枠材本体２７、固定カバー２８、開閉カバー２９は、それぞれ断面形状が、該枠材４の全長方向の全体に亘り同一であるため、押出し成形によって一体的に成形可能である。固定連結材６Ａ及び可動連結材６Ｂの各構成部材も、それぞれ断面形状が、該枠材４の全長方向の全体に亘り同一であるため、押出し成形によって一体的に成形可能である。このため、手間が軽減されて製造コストが安価になる。
【００７３】
また、表示パネル支持具は、従来の鉄製やプラスチック製の従来製品と比較して、耐久性に優れている。例えば、夏の炎天下の現場、冬の積雪現場、地震により粉塵が発生している現場又は台風等による強風現場、集中豪雨若しくは塩害の現場において工事する際、従来製品は劣化により使い物にならなくなる可能性があるが、本表示パネル支持具によれば、耐久性が高いので、劣化せずに、気兼ねなく使用が継続できる。ちなみに、高速道路や、海岸道路や、河川道路や、山岳道路や、ビルの谷間沿いの道路でも、風や雨や雪の被害が多く、このような箇所での使用でも、本表示パネル支持具は、その効果を発揮する。
【００７４】
また、従来製品は、表示パネルを、ボルト又はテックスビス等によって、支持枠に取り外し困難に取付固定していたので、使い捨て製品であった。表示パネルが高価な高輝度反射板から構成されている場合には、使い捨て商品のデメリットがコスト面からさらに強調されることもなる。これに対して、本表示パネル支持具は、ベース板Ｐ１の正面に重ねられた表示シートＰ２や、表示パネルＰ自体を交換可能であり、繰り返し使用できるため、経済的なメリットが大きい。
【００７５】
この他、従来の鉄製又はプラスチック製の製品は、錆びや劣化等に起因して、支持枠から表示パネルが外れるケースもあったが、アルミ製の本表示パネル支持具は、そのような事態も防止可能である。これに加えて、従来製品は、表示パネルが、支持枠から前方に突出した状態になるため、移動や倉庫の保管等の際に、その正面が擦れて摩耗が進む。一方、本表示パネル支持具は、表示パネルＰが、側断面視で、支持枠１に、前後に突出しない状態で、収容されているため、このようなデメリットもない。
【００７６】
また、本表示パネル支持具は、一方通行の道路や露地裏道路やカーブや幅狭の道路で、特に、その効力が発揮され、貫通孔７を介して車両からの良好な視界が確保可能になる。例えば、幅狭いの道路や対面交通式の道路において、従来製品はドライバーの視界を妨げる大きな原因になり、特に、夜間であれば、ライト等の関係で、このデメリットが顕著になるが、本表示パネル支持具によれば、このような問題も一気に改善できる。
【００７７】
さらに、別の観点からみれば、貫通孔７が、強風の影響低下や背面の視界確保の他、本表示パネル支持具の全体の軽量化にも寄与する。
【００７８】
さらに、本表示パネル支持具は、ラック１４に錘を載置することによって、位置決め固定できるため、従来製品のように、電子柱等に括り付ける必要もなくなり、歩行者や通行車両の邪魔になることも極力防止可能になる。
【００７９】
ちなみに、複数設けられた支持部２に、それぞれ表示パネルＰを支持させているため、この複数の表示パネル２にそれぞれ類似の表示をしてもよい。例えば、お願い表示、工事標示、区間表示、期間表示、施工管理表示等々を行い、分り易い情報を表示する。特に、夜間、夕暮れ時には、高輝度反射材によって正面側が構成された表示パネルＰが、夜の暗さを背景として、浮き出るように表示されるため、目立ち易くなる。
【００８０】
また、本表示パネル支持具は、貫通孔７に作業者を腕を通して持ち運びが可能になり、運搬も行い易くなる。特に、高速道路等の看板のサイズは、縦横で９００ｍｍ×１８００ｍｍや、１１００ｍｍ×１４００ｍｍもあるため、このような持ち運び易さが特に重要になる。この持ち運びの際に、貫通孔７による軽量化も有効に作用する。
【００８１】
なお、可動連結材６Ｂの代わりに固定連結材６Ａを用い、複数の固定連結材６Ａのみを枠材４，４の間に配置してもよい。
【００８２】
また、補強フレーム８を、一対の枠材４，４の間に架設固定したが、両端側の連結材６の間に、枠材４の全長方向に延び且つ後方にオフセットさせた補強フレームを架設固定してもよい。
【００８３】
さらに、一対の枠材４，４の一方を閉塞側枠材４Ａとし、他方を開閉側枠材４Ｂとしているが、両方を開閉側枠材４，４としてもよい。この場合は、可動連結材６Ｂのスライドによって、表示パネルＰの着脱を行っても良い。
【００８４】
また、ラック１４は、本実施形態では、二つ折り可能な構成としたが、図７及び図８に示すようなラック１４を用いてもよい。ラック１４のフレーム部は、上述の前フレーム１６のみによって構成している。この前フレーム１６であるラックフレームは、支点Ｘ２からさらに後方に延出されている。その延出量は、スタンド３の自立姿勢への切換時、ラックフレーム１６が該スタンド３の横フレーム１２側に達するように設定されている。
【００８５】
ラックフレーム１６は、支持部材１８であるヒンジを介して、最下端側の固定連結材６の連結材本体３７と上下回動自在に連結されている。ヒンジ１８は左右一対で設けられている。ちなみに、本例では、最下端側の連結材６は、支持枠１の最下端部の左右間に配置され、横フレーム１２も、スタンド３の左右の縦フレーム１１，１１の最下端部の間に架設されている。
【００８６】
ラックフレーム１６の左右一対のアーム部材１９，１９は、断面視で左右内側且つ上方に突出したアングル形状に成形されている。最前方の架設部材２１は、左右のアーム部材１９，１９の最前端の間に架設され、ヒンジ１８によって、前記連結材本体３７に連結されている。最後方の架設部材２１は、左右のアーム部材１９，１９の最後端の間に架設されている。
【００８７】
最前方の架設部材２１及び最後方の架設部材２１は、その他の架設部材１９に比べて広い断面積を有している。最後方の架設部材２１の上面からは、平面視で後方に向かってフック部材５１が設けられている。フック部材５１は、後部が下方に曲げ形成されている。
【００８８】
ラック１４（ラックフレーム１６）は、ヒンジ１８の支点Ｘ１を支点とした上下回動によって、固定連結材６Ａの連結材本体３７から真後ろ側に展開された展開状態と、固定連結材６Ａの連結材本体３７から上方に起立して支持枠１側に格納される起立状態とに切換可能に構成される。前記展開状態において、フック部材５１は、スタンド３の横フレーム１２に引掛り、係脱可能に係合される。
【００８９】
スタンド３の自立姿勢への切換に伴ってラック１４が展開状態に切換えられるとともにスタンド３の格納姿勢への切換に伴ってラック１４が収容状態に切換えられるように、スタンド３とラック１４とを連結させる連動アーム５２が設けられている。連動アーム５２の両方側は、具体的には、左右一方側の縦フレーム１１の内側の側面と、該縦フレーム１１に違い側のアーム部材１９の外側の側面とに、それぞれ回動自在に支持されている。
【００９０】
該構成のラック１４によれば、単一のフレームであるラックフレーム１６によって、耐荷重が向上し、重い錘がラック１４上に載置することが可能になる。
【００９１】
前記自立姿勢への切換時、ラック１４が、支持枠１の最下端側に位置するため、各部を配置構成してもよい。該構成によって、本表示パネル支持具の重心がさらに下方に位置させることが可能になり、さらなる安定化に寄与する。
【００９２】
さらに、本実施形態では、上から支持部２→貫通孔７→支持部２→貫通孔７→支持部２の順に配置構成しているが、これを、支持部２→貫通孔７→支持部２→貫通孔７→支持部２→貫通孔７→支持部２の順に配置構成してもよい。
【００９３】
次に、図９に基づき、本発明の別実施形態について上述の形態と異なる部分を説明する。
【００９４】
図９は、表示パネル支持具の別実施形態の構成を示す正面図である。同図に示す形態の表示パネル支持具は、上下一対の枠材４，４が左右方向に向け、複数の連結材６が上下方向に向けられている。左右両端側にそれぞれ配置された一対の固定連結材６Ａ，６Ａは、下側の枠材４，４からさらに下方に突出されて支柱として機能している、この左右の支柱４，４の下端側には、前記当接部９が設けられている。
【００９５】
ラック１４付きの前記スタンド３は、左右背面視で左右対称に配置された連結材６，６に前後揺動可能に支持されている。具体的には、スタンド３の一対の縦フレーム１１，１１が、最も端側の２つの連結材６，６に支持されるか、或いは、中央寄りの左右の連結材６，６に支持される。
【００９６】
次に、図１０に基づき、本発明の別実施形態について上述の形態と異なる部分を説明する。
【００９７】
図１０は、表示パネル支持具の別実施形態の構成を示す正面図である。上述の形態では、表示パネルＰを、連結材６の全長方向にスライドさせて支持部２に差込み挿入する形態について説明したが、本形態では、表示パネルＰを、枠材４の全長方向にスライドさせて支持部２に差込み挿入する形態について説明する。
【００９８】
連結材６として、左右一対の固定連結材６Ａ，６Ａと、その間に配置された左右一対の可動連結材６Ｂ，６Ｂとを設けるとともに、枠材４として、上下一対の閉塞側枠材４Ａ，４Ｂを設ける。左右の固定連結材６Ｂ，６Ｂは、図４に示された開閉枠材４Ａと同一又は略同一の断面構造を有する部材を用い、各固定連結材６Ｂ側からの表示パネルＰの差込みを可能とする。
【００９９】
表示パネルＰは、固定連結材６Ｂ側から差込み挿入され且つ可動連結材６Ａまでスライド移動される。すなわち、上述の形態では、表示パネルＰのスライド量が一対のパネル材４，４の一方から他方に至る距離に設定されていたが、本形態では、隣接する固定連結材６Ａから可動連結材６Ｂに至る距離に設定されている。
【０１００】
隣接する支持部２，２の間には、貫通孔７が開口形成される。
【符号の説明】
【０１０１】
１  支持枠
２  支持部
４  枠材
４Ａ  閉塞側枠材
４Ｂ  開閉枠材
４ａ  差込溝
４ｂ  差込溝
６  連結材
６Ａ  固定連結材
６Ｂ  可動連結材
６ａ  差込溝
６ｂ  差込溝
７  貫通孔
８  補強フレーム
２７  枠材本体
２９  開閉カバー
４１  挟持プレート
４２  挟持プレート
４３  スペーサ
４８ｂ  ネジ部（ネジ）
Ｐ  表示パネル
Ｓ  回転軸（軸）
【図１】
2020064219.tif 000003
【図２】
2020064219.tif 000004
【図３】
2020064219.tif 000005
【図４】
2020064219.tif 000006
【図５】
2020064219.tif 000007
【図６】
2020064219.tif 000008
【図７】
2020064219.tif 000009
【図８】
2020064219.tif 000010
【図９】
2020064219.tif 000011
【図１０】
2020064219.tif 000012